(57)【要約】再生チャンネル特性が同一または異なる記録速度情報が記録された光情報保存媒体及びその記録／再生方法が開示されている。  この開示された光情報保存媒体は、差動信号チャンネルまたはサムチャンネルで再生される正規記録速度情報とサムチャンネルで再生される最大記録可能速度、最小記録可能速度または記録可能速度情報とが記録されたことを特徴とする。  前記構成により、保存媒体の製造工程上のエラーによって正規記録速度を満足させられない場合に対する対応力を改善させ、不良率を低下させ、記録速度の不正確な適用によってユーザデータが損失されることを防止しうる。
2005528723.tif 000002
【特許請求の範囲】
【請求項１】
差動信号チャンネルで再生される正規記録速度情報とサムチャンネルで再生される最大記録可能な速度情報とが記録されたことを特徴とする光情報保存媒体。
【請求項２】
前記正規記録速度情報は、高周波ウォッブルで記録されることを特徴とする請求項１に記載の光情報保存媒体。
【請求項３】
ピット状に記録されてサムチャンネルで再生される正規記録速度情報とサムチャンネルで再生される最大記録可能な速度情報とが記録されたことを特徴とする光情報保存媒体。
【請求項４】
リードイン領域、ユーザデータ領域及びリードアウト領域が備えられ、前記最大記録可能な速度が前記リードイン領域及びリードアウト領域のうち少なくとも何れか一つの再記録可能な領域に記録されたことを特徴とする請求項１ないし３のうち何れか一項に記載の光情報保存媒体。
【請求項５】
前記リードイン領域及びリードアウト領域の再記録可能な領域に最大記録可能な速度が重複されて記録されることを特徴とする請求項４に記載の光情報保存媒体。
【請求項６】
前記再記録可能な領域は、ディスクコントロールデータが記録される少なくとも一つ以上のディスクコントロールデータ領域と保留領域とを有するディスクコントロールデータゾーンを備え、前記少なくとも一つのディスクコントロールデータ領域または保留領域に最大記録可能な速度が記録されることを特徴とする請求項４に記載の光情報保存媒体。
【請求項７】
前記最大記録可能な速度は、再記録可能な領域にある所定バイトの少なくとも一つ以上のビットを利用するか、または所定バイトのビット組合わせを利用して速度フラグまたはコードで記録されることを特徴とする請求項４に記載の光情報保存媒体。
【請求項８】
前記リードイン領域及びリードアウト領域のうち少なくとも何れか一つの再記録可能な領域に最小記録可能な速度がさらに記録されたことを特徴とする請求項４に記載の光情報保存媒体。
【請求項９】
前記再記録可能な領域は、ディスクコントロールデータが記録される少なくとも一つ以上のディスクコントロールデータ領域と保留領域とを有するディスクコントロールデータゾーンを備え、前記少なくとも一つのディスクコントロールデータ領域または保留領域に最小記録可能な速度が記録されることを特徴とする請求項８に記載の光情報保存媒体。
【請求項１０】
前記最大記録可能な速度及び最小記録可能な速度は、再記録可能な領域にある所定のバイトの少なくとも１ビットを利用するか、または所定バイトのビット組合わせを利用してそれぞれ速度フラグまたはコードで記録されることを特徴とする請求項８または９に記載の光情報保存媒体。
【請求項１１】
前記リードイン領域及びリードアウト領域の再記録可能な領域に最大記録可能な速度及び最小記録可能速度がそれぞれ重複されて記録されることを特徴とする請求項８または９に記載の光情報保存媒体。
【請求項１２】
差動信号チャンネルで再生される正規記録速度情報とサムチャンネルで再生される記録可能な速度情報とが記録されたことを特徴とする光情報保存媒体。
【請求項１３】
前記正規記録速度情報は、高周波ウォッブルで記録されることを特徴とする請求項１２に記載の光情報保存媒体。
【請求項１４】
リードイン領域、ユーザデータ領域及びリードアウト領域が備えられ、前記記録可能な速度情報が前記リードイン領域及びリードアウト領域のうち少なくとも何れか一つの再記録可能な領域に記録されたことを特徴とする請求項１２及び１３に記載の光情報保存媒体。
【請求項１５】
前記再記録可能な領域の所定のバイトにあるビットにそれぞれ対応する記録可能な速度情報が各ビットに記録されるか、またはビット組合わせを利用して記録されることを特徴とする請求項１４に記載の光情報保存媒体。
【請求項１６】
前記再記録可能な領域は、ディスクコントロールデータが記録される少なくとも一つ以上のディスクコントロールデータ領域と保留領域とを有するディスクコントロールデータゾーンを備え、前記少なくとも一つのディスクコントロールデータ領域または保留領域に記録可能な速度が記録されることを特徴とする請求項１４に記載の光情報保存媒体。
【請求項１７】
前記リードイン領域及びリードアウト領域の再記録可能な領域に記録可能な速度が重複されて記録されることを特徴とする請求項１５または１６に記載の光情報保存媒体。
【請求項１８】
リードイン領域、ユーザデータ領域及びリードアウト領域を備えた光情報保存媒体を記録／再生する方法において、
前記リードイン領域及びリードアウト領域のうち少なくとも何れか一つの再生専用領域に差動信号チャンネルまたはサムチャンネルで再生される正規記録速度を記録する段階と、
前記リードイン領域及びリードアウト領域のうち少なくとも何れか一つの再記録可能な領域にサムチャンネルで再生される最大記録可能な速度を記録する段階と、
ディスクドライブで前記最大記録可能な速度を認識して記録を行う段階とを含むことを特徴とする光情報保存媒体の記録／再生方法。
【請求項１９】
前記正規記録速度情報は、高周波ウォッブルまたはピットに記録されることを特徴とする請求項１８に記載の光情報保存媒体の記録／再生方法。
【請求項２０】
前記リードイン領域及びリードアウト領域の再記録可能な領域に最大記録可能な速度が重複されて記録されることを特徴とする請求項１８または１９に記載の光情報保存媒体の記録／再生方法。
【請求項２１】
前記再記録可能な領域は、ディスクコントロールデータが記録される少なくとも一つのディスクコントロールデータ領域と保留領域とを有するディスクコントロールデータゾーンを備え、前記少なくとも一つのディスクコントロールデータ領域または保留領域に最大記録可能な速度が記録されることを特徴とする請求項２０に記載の光情報保存媒体の記録／再生方法。
【請求項２２】
前記最大記録可能な速度は、再記録可能な領域にある所定バイトの少なくとも１ビットを利用するか、または所定バイトのビット組合わせを利用してそれぞれ速度フラグまたはコードで記録されることを特徴とする請求項１８、１９、２１のうち何れか一項に記載の光情報保存媒体の記録／再生方法。
【請求項２３】
前記最大記録可能な速度は、再記録可能な領域にある所定バイトの少なくとも１ビットを利用するか、または所定バイトのビット組合わせを利用してそれぞれ速度フラグまたはコードで記録されることを特徴とする請求項２０に記載の光情報保存媒体の記録／再生方法。
【請求項２４】
前記リードイン領域及びリードアウト領域のうち少なくとも何れか一つの再記録可能な領域に最小記録可能な速度がさらに記録されたことを特徴とする請求項１８に記載の光情報保存媒体の記録／再生方法。
【請求項２５】
前記リードイン領域及びリードアウト領域の再記録可能な領域に最大記録可能な速度及び最小記録可能な速度がそれぞれ重複されて記録されることを特徴とする請求項２４に記載の光情報保存媒体の記録／再生方法。
【請求項２６】
前記再記録可能な領域は、ディスクコントロールデータ情報が記録される少なくとも一つ以上のディスクコントロールデータ領域と保留領域とを有するディスクコントロールデータゾーンを備え、前記少なくとも一つのディスクコントロールデータ領域または保留領域に最大記録可能な速度及び最小記録可能な速度が記録されることを特徴とする請求項２４または２５に記載の光情報保存媒体の記録／再生方法。
【請求項２７】
前記最大記録可能な速度及び最小記録可能な速度は、再記録可能な領域にある所定バイトの少なくとも１ビットを利用するか、または所定バイトのビット組合わせを利用してそれぞれ速度フラグまたはコードで記録されることを特徴とする請求項２４または２５に記載の光情報保存媒体の記録／再生方法。
【請求項２８】
ディスクバージョンに関係なく前記最大記録可能な速度及び最小記録可能な速度を利用して記録を行うことを特徴とする請求項２４または２５に記載の光情報保存媒体の記録／再生方法。
【請求項２９】
リードイン領域、ユーザデータ領域及びリードアウト領域を備えた光情報保存媒体の記録／再生方法において、
前記リードイン領域及びリードアウト領域のうち少なくとも何れか一つの再生専用領に差動信号チャンネルまたはサムチャンネルで再生される正規記録速度を記録する段階と、
前記リードイン領域及びリードアウト領域のうち少なくとも何れか一つの再記録可能な領域にサムチャンネルで再生される記録可能な速度情報を記録する段階と、
ディスクドライブで前記記録可能な速度を認識して記録を行う段階とを含むことを特徴とする光情報保存媒体の記録／再生方法。
【請求項３０】
前記正規記録速度情報は、高周波ウォッブルまたはピットに記録されることを特徴とする請求項２９に記載の光情報保存媒体の記録／再生方法。
【請求項３１】
前記再記録可能な領域の所定のバイトにあるビットにそれぞれ対応する記録可能な速度情報が各ビットに記録されるか、または所定バイトのビット組合わせを利用して記録されたことを特徴とする請求項２９または３０に記載の光情報保存媒体の記録／再生方法。
【請求項３２】
前記リードイン領域及びリードアウト領域の再記録可能な領域に記録可能な速度が重複されて記録されることを特徴とする請求項２９または３０に記載の光情報保存媒体の記録／再生方法。
【請求項３３】
前記再記録可能な領域は、ディスクコントロールデータ情報が記録される少なくとも一つ以上のディスクコントロールデータ領域と保留領域とを有するディスクコントロールデータゾーンを備え、前記少なくとも一つのディスクコントロールデータ情報領域または保留領域に記録可能な速度がビット単位またはビット組合わせで記録されることを特徴とする請求項２９または３０に記載の光情報保存媒体の記録／再生方法。
【請求項３４】
前記再記録可能な領域は、ディスクコントロールデータ情報が記録される少なくとも一つ以上のディスクコントロールデータ領域と保留領域とを有するディスクコントロールデータゾーンを備え、前記少なくとも一つのディスクコントロールデータ情報領域または保留領域に記録可能な速度がビット単位またはビット組合わせで記録されることを特徴とする請求項３２に記載の光情報保存媒体の記録／再生方法。
【請求項３５】
ディスクバージョンに関係なく、前記記録可能な速度情報を利用して記録を行うことを特徴とする請求項２９または３０に記載の光情報保存媒体の記録／再生方法。
【請求項３６】
ピット状に記録されてサムチャンネルで再生される正規記録速度情報とサムチャンネルで再生される記録可能な速度情報とが記録されたことを特徴とする光情報保存媒体。
【請求項３７】
一層以上の記録層を有することを特徴とする請求項１、３、１２、３６のうち何れか一項に記載の光情報保存媒体。
【請求項３８】
一層以上の記録層を有することを特徴とする請求項１８または２８に記載の光情報保存媒体の記録／再生方法。
【発明の詳細な説明】
【技術分野】
【０００１】
本発明は光情報保存媒体及びその記録／再生方法に係り、さらに詳細には再生チャンネル特性が同一または異なる記録速度情報が記録された光情報保存媒体及びその記録／再生方法に関する。
【背景技術】
【０００２】
一般的に光情報保存媒体、例えば、光ディスクは、非接触式で情報を記録／再生する光ピックアップ装置の情報媒体として広く採用され、情報記録容量によってコンパクトディスク（ＣＤ）、デジタル多機能ディスク（ＤＶＤ）、高密度ディスク（ＨＤ−ＤＶＤ）に区分されうる。そして、データの記録、消去及び再生が可能な光ディスクとしては、ＣＤ−Ｒ、ＣＤ−ＲＷ、ＤＶＤ−ＲＷ、ＤＶＤ−ＲＡＭ、ＤＶＤ＋ＲＷがある。
【０００３】
一方、前記のような光ディスクの記録速度の高倍速化によってドライブの性能もその速度に合せて新たに開発されている。ディスクの記録速度によって適した記録特性があり、これら記録特性を満足させるようにディスクドライブが作動されて初めて信頼できる記録及び／または再生が行われる。しかし、一般的なディスクドライブにおいて、低倍速ディスクに対しては良好な記録を行うが、相対的に高倍速ディスクに対しては記録特性を満足させずにユーザデータを損傷させる可能性が高い。しかし、一方、高倍速用に製作されたディスクドライブを利用して低倍速のディスクに記録を行う時にもユーザデータが損傷される恐れがある。
【０００４】
したがって、ディスクの記録速度についての正確な情報が必要である。したがって、ディスクの記録速度がディスクの所定領域に記録され、この速度をディスクドライブが認識して記録しようとするディスクに適した速度で記録するようになっている。例えば、記録しようとするディスクが２倍速である場合、ディスク出荷時にその速度をディスクの所定領域に記録することによってディスクドライブによって記録する時、そのディスクの記録特性を考慮して記録するようになる。
【０００５】
しかし、ディスクテスト時、前記のように所定のディスクの記録速度を満足させられない場合を発見する場合が度々ある。例えば、４倍速ディスクを製造してディスクの所定領域にディスクの記録速度を４倍速で記録したが、実際には４倍速を満足させられない場合がある。ここで、ディスクの不良により使用不能な場合もあるが、４倍速用としては不適であるが、それより低い倍速の３倍速または２倍速用としては問題ない場合がありうる。このような場合、ディスク製作時に記録速度が４倍速に記録されているので、ディスクドライブによって４倍速と認識されて、その速度に対応するように記録を行うが、実際には４倍速の性能を満足させられないので、記録が正常的に行われず、ユーザデータの損傷をもたらすことがある。したがって、前記のようにディスクが４倍速用としては不適であるが、４倍速より小さな３倍速または２倍速用としては無理ない場合まで不良ディスクで処理するしかなかった。
【０００６】
しかし、このようにディスク製作時に設計した通りの速度は満足させられないが、それより小さな倍速は満足させるディスクの場合、これを不良ディスクとして処理して廃棄することは非常に浪費的である。したがって、最初に規定された正規の記録速度を満足させられないディスクを、それより低い記録速度を満足させるディスクとして再活用できる方法を模索する必要がある。また、ディスクの製造工程上、色々な作業環境によってディスクの記録速度が減速する場合に対する後続措置が要求される。
【発明の開示】
【発明が解決しようとする課題】
【０００７】
本発明は、前記問題点を解決するために案出されたものであって、相異なるチャンネル特性または同じチャンネル特性を利用して記録速度情報を記録し、差動信号チャンネルまたはサムチャンネル（Ｓｕｍ  Ｃｈａｎｎｅｌ）で再生される記録速度情報は、再生専用データとして記録され、サムチャンネルで再生される記録速度情報は、ユーザデータ領域を除外した領域の再記録可能な領域に記録することによって記録しようとする保存媒体に対して最適の速度で記録されるようにし、ユーザデータの安定性を保証できるようにした光情報保存媒体及びその記録／再生方法を提供するところにその目的がある。
【０００８】
本発明の望ましい実施例による光情報保存媒体は、差動信号チャンネルまたはサムチャンネルで再生される正規記録速度情報とサムチャンネルで再生される最大記録可能な速度情報とが記録されたことを特徴とする。
【０００９】
前記正規記録速度情報は、高周波ウォッブルまたはピットに記録されることを特徴とする。
【００１０】
リードイン領域、ユーザデータ領域及びリードアウト領域が備えられ、前記最大記録可能な速度が前記リードイン領域及びリードアウト領域のうち少なくとも何れか一つの再記録可能な領域に記録されたことを特徴とする。
【００１１】
前記リードイン領域及びリードアウト領域の再記録可能な領域に最大記録可能な速度が重複されて記録されることを特徴とする。
【００１２】
前記再記録可能な領域は、ディスクコントロールデータが記録される少なくとも一つ以上のディスクコントロールデータ領域と保留領域とを有するディスクコントロールデータゾーンを備え、前記少なくとも一つのディスクコントロールデータ領域または保留領域に最大記録可能な速度が記録されることを特徴とする。
【００１３】
前記最大記録可能な速度は、再記録可能な領域にある所定バイトの少なくとも一つ以上のビットを利用するか、または所定バイトのビット組合わせを利用して速度フラグまたはコードで記録されることを特徴とする。
【００１４】
前記リードイン領域及びリードアウト領域のうち少なくとも何れか一つの再記録可能な領域に最小記録可能な速度がさらに記録されたことを特徴とする。
【００１５】
前記目的を達成するために本発明による光情報保存媒体は、差動信号チャンネルまたはサムチャンネルで再生される正規記録速度情報とサムチャンネルで再生される記録可能な速度情報とが記録されたことを特徴とする。
【課題を解決するための手段】
【００１６】
前記目的を達成するために、本発明による光情報保存媒体の記録／再生方法は、リードイン領域、ユーザデータ領域及びリードアウト領域を備えた光情報保存媒体を記録／再生する方法において、前記リードイン領域及びリードアウト領域のうち少なくとも何れか一つの再生専用領域に差動信号チャンネルまたはサムチャンネルで再生される正規記録速度を記録する段階と、前記リードイン領域及びリードアウト領域のうち少なくとも何れか一つの再記録可能な領域にサムチャンネルで再生される最大記録可能な速度を記録する段階と、ディスクドライブで前記最大記録可能な速度を認識して記録を行う段階とを含むことを特徴とする。
【００１７】
前記目的を達成するために、本発明による光情報保存媒体の記録／再生方法は、リードイン領域、ユーザデータ領域及びリードアウト領域を備えた光情報保存媒体の記録／再生方法において、前記リードイン領域及びリードアウト領域のうち少なくとも何れか一つの再生専用領域に差動信号チャンネルまたはサムチャンネルで再生される正規記録速度を記録する段階と、前記リードイン領域及びリードアウト領域のうち少なくとも何れか一つの再記録可能な領域にサムチャンネルで再生される記録可能な速度情報を記録する段階と、ディスクドライブで前記記録可能な速度を認識して記録を行う段階とを含むことを特徴とする。
【発明を実施するための最良の形態】
【００１８】
図１は、リードイン領域、ユーザデータ領域及びリードアウト領域を含む光情報保存媒体において、前記リードイン領域の構造を概略的に示す図である。リードイン領域は、ディスクの再内周側にピット状または高周波ウォッブルよりなるものであって、ディスクに対する基本的な情報が記録される再生専用データゾーン１０と、コネクションゾーン２０と、再記録可能なデータゾーン３０とを備える。
【００１９】
再生専用データゾーン１０には、ディスクの正規記録速度が記録されるディスク関連情報ゾーン１０ａが備えられる。ディスクの正規記録速度とは、ディスク設計時に定められるか、または使用しようとするディスクの物理的規格で定められた記録速度であり、ディスク関連情報の一つとしてディスク関連情報ゾーン１０ａに記録される。ディスク正規記録速度情報は、再生専用データであって、例えば、ＬＰＰ（Ｌａｎｄ  Ｐｒｅ−Ｐｉｔ）やピット状に記録されるか、または高周波ウォッブル信号で記録されうる。ここで、高周波ウォッブル信号は、本出願人による既出願の韓国特許出願２００１−０２３７４７号に開示されているものであって、ユーザデータ領域に形成されたウォッブル信号に比べて相対的に高周波のウォッブル信号を表す。高周波ウォッブルで記録された正規記録速度情報は、プッシュプル信号を利用した差動信号チャンネルｃｈ２で再生される。また、ピット状に記録された正規記録速度情報は、サムチャンネルｃｈ１で再生される。ディスクにデータを記録する時、このように記録されたディスクの正規記録速度をディスクドライブで認識して、当該記録速度に最適の条件でデータを記録できるように制御する。
【００２０】
また、ディスク関連情報ゾーン１０ａには、記録速度情報以外にディスクのサイズ、バージョン番号、記録条件がさらに記録される。
【００２１】
コネクションゾーン２０には、再生専用データゾーン１０と再記録可能なデータゾーン３０との間を連結するトランジションゾーンが備えられうる。このようなコネクションゾーン２０には、ミラーゾーン２０以外にグルーブウォッブルよりなる領域でも構成されうる。
【００２２】
一方、再記録可能なデータゾーン３０には、ディスクテストゾーン３０ａ、ドライブテストゾーン３０ｂ、ディスクコントロールデータゾーン３０ｃ及び欠陥管理ゾーン３０ｄが備えられうる。また、ディスクコントロールデータゾーン３０ｃにはディスクコントロール関連情報が記録される少なくとも一つ以上のディスクコントロール領域が備えられる。ここでは、例えば、第１ないし第４ディスクコントロール領域３０ｃ−１，３０ｃ−２，３０ｃ−３，３０ｃ−４が備えられた場合を例示した。これ以外に、予定されていないが、以後で他の情報が記録されうる余裕領域として少なくとも一つの保留領域３０ｃ−５，３０ｃ−６がさらに備えられうる。
【００２３】
一方、リードアウト領域は、前述したリードイン領域と類似した構造を有するものであって、ここでは詳細な説明を省略する。
【００２４】
理想的には、光情報保存媒体がディスク関連情報ゾーン１０ａに記録されたディスクの正規記録速度を満足させなければならないが、実際には製造工程上のエラーによってディスクの正規記録速度を満足させられずに、それより低い記録速度を満足させる場合が発生しうる。このような場合、前記正規記録速度の代わりに、実際に満足する記録可能な記録速度を新たに記録する必要がある。
【００２５】
本発明の第１実施例による光情報保存媒体の記録／再生方法は、リードイン領域及びリードアウト領域のうち少なくとも何れか一つの再記録可能な領域に最大記録可能な記録速度を記録する段階を含む。例えば、記録可能なデータゾーン３０の所定領域に最大記録可能な記録速度情報を記録しうる。ここで、最大記録可能な速度情報は、サムチャンネルｃｈ１で再生されるデータとしてユーザデータ領域で使われる記録方式と同一に記録されうる。
【００２６】
再記録可能なデータゾーン３０の所定領域は、図２を参照するに、複数のバイトよりなり、複数のバイトのうち１バイトに最大記録可能な速度を記録しうる。例えば、最大記録可能速度情報は、記録可能なデータゾーン３０の所定領域の０バイトポジション（ＢＰ）３５にある少なくとも１ビットを利用して、または所定バイトのビット組合わせを利用してそれぞれ速度フラグまたはコードで記録される。ここでは、０ＢＰ  ３５に記録可能な速度を記録する場合を例示したが、０ＢＰ以外に所望のＢＰに記録可能な速度を記録することが可能である。また、１バイトではない複数のバイトを利用して速度情報を表すこともある。
【００２７】
０ＢＰ  ３５の内部構造は、図３Ａに示されたように、０〜７ビットｂ０，ｂ１，ｂ２，ｂ３，ｂ４，ｂ５，ｂ６，ｂ７までの８ビットよりなり、例えば、第７ビットｂ７と第６ビットｂ６とに速度フラグまたはビット組合わせよりなるコードを記録しうる。残りのビットは保留領域として残す。具体的に、第７ビットｂ７と第６ビットｂ６との２ビットを利用して次のような最大速度フラグまたはコードで記録しうる。
【００２８】
ここでは、正規記録速度が５倍速５Ｘである場合を例として説明する。第一に、速度フラグが００ｂと記録された場合には、正規記録速度の通りに記録が可能であることを表す。すなわち、ここでは、最大５倍速で記録が可能であることを表す。第二に、０１ｂと記録された場合には、最大記録可能速度が２倍速２Ｘであることを表すものであって、２倍速を超える速度では記録できないことを表す。第三に、１０ｂと記録された場合には、最大記録可能速度が３倍速３Ｘであることを、第四に、１１ｂと記録された場合には、最大記録可能速度が４倍速であることをそれぞれ表す。
【００２９】
さらに他の例として、正規記録速度が３倍速３Ｘである場合に、速度フラグが００ｂと記録された時には、３倍速の正規記録速度で記録可能であることを表し、０１ｂと記録された時には、最大記録可能な速度が２倍速であることを表す。
【００３０】
さらに、６倍速以上のディスクに対して適用するために、前記速度フラグを３ビットで構成して記録しうる。例えば、６倍速のディスクに対して０００ｂは最大６倍速で記録可能であり、６倍速を超える速度では記録できず、００１ｂは最大記録可能な速度が２倍速であり、０１０ｂは最大記録可能な速度が３倍速である場合をそれぞれ表す。前記場合に、００ｂまたは０００ｂで最大記録速度が記録された時には、ディスク規格で定めた正規記録速度で記録が可能であることを表す。
【００３１】
前記例では、２ビットまたは３ビットを利用して最大速度を記録する場合を説明したが、これ以外に４〜８ビットを利用して最大記録可能速度を記録することもある。言い換えれば、再記録可能領域にある何れか１バイトの少なくとも１ビットを利用するか、またはビット組合わせを利用して最大記録可能な速度を記録することが可能である。また、１バイトではない複数のバイトも利用できる。
【００３２】
それにより、リードイン領域及びリードアウト領域のうち少なくとも何れか一つの再記録可能なデータゾーンの所定領域に最大記録可能な速度を記録し、ディスクドライブで前記最大記録可能な速度によってディスクに対して最適の記録速度で記録を行わせる。
【００３３】
望ましくは、前記最大記録可能な速度は、ディスクコントロールデータゾーン３０ｃにある少なくとも一つのディスクコントロールデータ領域３０ｃ−１，３０ｃ−２，３０ｃ−３，３０ｃ−４に記録されうる。または、ディスクコントロールデータゾーン３０ｃの保留領域３０ｃ−５，３０ｃ−６に記録されうる。一方、前記例では最大記録可能な速度をリードイン領域の再記録可能な領域に記録する場合を説明したが、保存媒体の外周側に設けられたリードアウト領域の再記録可能な領域にも記録しうる。
【００３４】
また、最大記録可能な速度の信頼性を確保するために、リードイン領域とリードアウト領域の再記録可能な領域に、最大記録可能な速度を重複して記録することもある。
【００３５】
本発明の第１実施例による光情報記録媒体は、前記方法によってリードイン領域及びリードアウト領域のうち、少なくとも何れか一つの再記録可能な領域の所定領域に最大記録可能な速度が記録される。前記最大記録可能な速度は、所定バイトの少なくとも１ビットを利用するか、またはビット組合わせを利用して速度フラグまたはコードで記録されうる。または複数のバイトを使用することも可能である。
【００３６】
一方、前記例では、最大記録可能な速度情報が０ＢＰに記録される場合を説明したが、０ＢＰのみに限定されず、他のＢＰにも同一に適用可能である。
【００３７】
本発明の第２実施例による光情報記録媒体の記録／再生方法は、リードイン領域及びリードアウト領域のうち少なくとも何れか一つの再記録可能な領域に最大記録可能な速度及び最小記録可能な速度を記録する段階を含む。例えば、再記録可能なデータゾーン３０の所定領域に最大記録可能な記録速度を記録しうる。ここで、再記録可能なデータゾーンは、リードイン領域だけでなく、リードアウト領域にも備えられている。
【００３８】
最大記録可能な速度及び最小記録可能な速度は、再記録可能なデータゾーン３０の所定領域、例えばディスクコントロールデータ領域３０ｃ−１，３０ｃ−２，３０ｃ−３，３０ｃ−４または保留領域３０ｃ−５，３０ｃ−６に記録されうる。ディスクコントロールデータ領域３０ｃ−１，３０ｃ−２，３０ｃ−３，３０ｃ−４または保留領域３０ｃ−５，３０ｃ−６は、複数のバイトより構成され、これらバイトのうち少なくとも一つ以上のバイトに、図３Ｂに示されたように、最大記録可能な速度及び最小記録可能な速度を記録する。ここで、最大記録可能速度及び最小記録可能速度は、サムチャンネルｃｈ１で再生されるデータであって、例えば、ユーザデータ領域で使われる記録方式と同一に記録されうる。
【００３９】
一方、信頼性の確保のために最大記録可能な速度及び最小記録可能な速度をリードイン領域とリードアウト領域の再記録可能な領域に重複して記録することが望ましい。
【００４０】
具体的に、正規記録速度が８倍速で記録されているが、ディスクの記録特性に対するテスト時に５〜７倍速を満足させる結果を得た場合を例として説明する。ここで、最大記録可能な速度は７倍速であり、最小記録可能な速度は５倍速となる。図３Ｂには、第７ないし第４ビットｂ７，ｂ６，ｂ５，ｂ４には最大記録可能な速度を、第３ないし第０ビットｂ３，ｂ２，ｂ１，ｂ０には最小記録可能な速度を記録した場合を例示した。このように４ビットを利用して最大または最小記録可能な速度を表す例を表で表すと、次の通りである。
【００４１】
【表１】
2005528723.tif 000003
前記表１を利用して５〜７速を満足させる場合を表せば、０１０１００１１ｂの通りである。ここでは、４ビットを利用したビット組合わせで最大記録可能な速度と最小記録可能な速度とをそれぞれ表したが、３ビットずつまたは２ビットずつを利用して最大記録可能な速度と最小記録可能な速度とをそれぞれ表せる。
【００４２】
本発明の第２実施例による記録／再生方法によって記録された光情報保存媒体は、リードイン領域及びリードアウト領域のうち少なくとも何れか一つの再記録可能な領域に最大記録可能速度及び最小記録可能速度が記録されている。最大記録可能速度及び最小記録可能速度は、２ビットないし４ビットのビット組合わせを利用してそれぞれ記録されうる。または、相異なるＢＰに最大記録可能速度と最小記録可能速度とをそれぞれ記録することもある。
【００４３】
次いで、第３実施例による光情報保存媒体及びその記録／再生方法について説明する。
【００４４】
第３実施例によれば、リードイン領域及びリードアウト領域のうち少なくとも何れか一つの再記録可能な領域の所定領域に記録可能な速度を１ビットごとにそれぞれ記録する段階を含む。
【００４５】
例えば、図１に示された再記録可能なデータゾーン３０の所定領域にある何れか１バイトのビットを利用するか、またはビット組合わせを利用して記録可能な速度を記録しうる。再記録可能なデータゾーン３０に備えられたディスクコントロールデータ領域３０ｃ−１，３０ｃ−２，３０ｃ−３，３０ｃ−４または保留領域３０ｃ−５，３０ｃ−６に記録可能な速度を記録する。ディスクコントロールデータ領域３０ｃ−１，３０ｃ−２，３０ｃ−３，３０ｃ−４及び保留領域３０ｃ−５，３０ｃ−６は、複数のバイトより構成され、これらバイトのうち何れか１バイトの８ビットを利用して各ビットに記録可能な速度を記録する。
【００４６】
具体的に、所定ＢＰの各ビットに相異なる記録可能速度が対応し、それぞれ対応する記録可能速度についての情報を各ビットに記録する。一例として、それぞれのビットに対応する速度を次のように規定しうる。
【００４７】
【表２】
2005528723.tif 000004
前記表２を参考として各ＢＰに対応する記録可能速度についての情報をそれぞれ記録することによって記録可能な速度をいずれも表せる。すなわち、第７ビット７ｂに０ｂが記録されれば、２倍速で記録が可能であることを、１ｂが記録されれば、９倍速で記録が不可能であることをそれぞれ表す。また、第６ビット６ｂに０ｂが記録されれば、３倍速で記録が可能であることを、１ｂが記録されれば、８倍速で記録が不可能であることをそれぞれ表す。残りの第５ないし第０ビット５ｂ，４ｂ，３ｂ，２ｂ，２ｂ，１ｂ，０ｂに対しても同じ方法で適用されて、それぞれのビットに対応する記録可能速度についての情報を表せる。
【００４８】
第３実施例によって、例えば、正規記録速度が９倍速で記録されているが、記録特性に対するテスト時に５〜７倍速の特性を満足させると現れた場合、表２を参考として記録可能な速度を記録すれば、１１１０００１１ｂで記録されうる。
【００４９】
ここで、信頼性の確保のために記録可能な速度をリードイン領域とリードアウト領域の再記録可能な領域に重複して記録しうる。
【００５０】
さらに他の方法で、次の表３に表したように、特定速度に対する記録が可能であるか否かを表せる。例えば、速度１が３ｍ／ｓ、速度２が５ｍ／ｓ、速度３が７ｍ／ｓを表すと定め、第７ビット、第６ビット及び第５ビットがそれぞれ０ｂ、１ｂ、１ｂになっていれば、記録速度が３ｍ／ｓのみで記録可能であり、０ｂ、０ｂ、１ｂになっていれば、３ｍ／ｓ、５ｍ／ｓで記録可能であることを表す。ここで、特定の記録可能速度は、整数の倍速だけでなく、実数範囲の倍速まで含まれうる。
【００５１】
【表３】
2005528723.tif 000005
図５は、本発明による光情報保存媒体及びその記録／再生方法によって有効記録速度を決定する方法を示すブロック図である。ディスクに情報を記録するためにディスクをディスクドライブにローディングし、ディスクの所定領域に記録されたディスク関連情報を再生して正規記録速度を求め、これをメモリに保存する。この時、前記ディスク関連情報は、サムチャンネルｃｈ１またはプッシュプルチャンネルｃｈ２で再生される。次いで、前記リードイン領域及びリードアウト領域のうち少なくとも何れか一つに記録された記録可能速度情報は、サムチャンネルまたはチャンネル１  ｃｈ１で再生される。最終的に、サムチャンネルによって再生された記録可能速度で記録を行う。一方、表３に示されたように、ディスクに規定されたそれぞれの特定速度と関連した記録条件は、これに対応するディスク関連情報を利用して決定される。
【００５２】
前記第２実施例及び第３実施例によれば、記録可能な全ての速度を表せるので、さらに正確で具体的な記録速度についての情報を提供できる利点がある。特に、記録速度が高倍速化されるほど低倍速用に設計されたディスクドライブとの互換性に問題が発生する恐れがある。例えば、５倍速以上の高倍速用ディスクドライブでは、５倍速より小さな記録特性を満足するディスクに対して記録が正常的に行われないこともある。このような場合に備えて記録可能な速度についての全ての情報を記録することによって記録可能な速度に対する対応力を高めうる。
【００５３】
さらに、ディスク関連情報ゾーン１０ａに記録速度関連情報と共にディスク規格と関連したバージョンについての情報が記録される時、バージョンに対する対応力も向上させうる。ディスク関連情報ゾーン１０ａに記録されたバージョンに対応するディスクドライブによってデータが記録／再生されるが、バージョンがアップデートされて既存のバージョンに対応するドライブによっては、新たなバージョンの保存媒体の再生に障害がありうる。したがって、既存バージョンのドライブによって新たなバージョンの保存媒体を記録／再生する時、記録速度特性を満足させるにも拘わらず、バージョンに対するエラーによって記録／再生を行えない場合がありうる。
【００５４】
例えば、１.０バージョンについては１ないし３倍速の記録速度が規定されており、２.０バージョンについては２〜５倍速の記録速度が規定されている場合、１.０バージョンのためのディスクドライブによっては、２.０バージョンの保存媒体に対する記録／再生の正常的な遂行に問題がありうる。しかし、記録速度特性のみを考慮すれば、１.０バージョンのためのディスクドライブによって２倍速または３倍速の記録速度でデータを記録することが可能である。このような場合、本発明によれば、バージョンが異なっても、本発明によって再記録可能な領域に記録された有効記録可能速度を認識して記録特性を満足させれば、データを記録させうる。すなわち、ディスクバージョンに関係なく、本発明によってサムチャンネルで再生される有効記録可能速度情報を利用して当該ディスクドライブが記録特性を満足すれば、記録を行わせることによってディスク及びディスクドライブの互換性をさらに拡大させうる。
【００５５】
一方、本発明による第１ないし第３実施例は、１層以上の記録層を有する光情報保存媒体に適用されうる。また、前記のような速度フラグ情報またはコード情報は、ディスク製造者のみによって記録されなければならず、ディスク出荷後にディスクドライブによって変更、消去されないように保護されなければならない。
【産業上の利用可能性】
【００５６】
本発明による光情報保存媒体及びその記録／再生方法は、保存媒体の製造工程上のエラーによって正規記録速度を満足させられない場合に対する対応力を改善させうる。特に、最近、記録速度が次第に高倍速化されるにつれて、本発明の必要性がさらに切実に要求されうる。
【００５７】
本発明による光情報保存媒体及びその記録／再生方法によれば、不良率を低下させ、記録速度の不正確な適用によってユーザデータが損失されることを防止しうる。
【図面の簡単な説明】
【００５８】
【図１】本発明による光情報保存媒体のリードイン領域の構造を示す図である。
【図２】本発明による光情報保存媒体の記録／再生方法によって記録された光情報保存媒体の一部データ構造を示す図である。
【図３Ａ】本発明の第１実施例による光情報保存媒体及びその記録／再生方法を説明するための図である。
【図３Ｂ】本発明の第２実施例による光情報保存媒体及びその記録／再生方法を説明するための図である。
【図４】本発明の第３実施例による光情報保存媒体及びその記録／再生方法を説明するための図である。
【図５】本発明による光情報保存媒体の記録速度を決定する順序を示すブロック図である。
【図１】
2005528723.tif 000006
【図２】
2005528723.tif 000007
【図３Ａ】
2005528723.tif 000008
【図３Ｂ】
2005528723.tif 000009
【図４】
2005528723.tif 000010
【図５】
2005528723.tif 000011
【国際調査報告】
2005528723.tif 000012